(57)【要約】【課題】顔写真を照合することにより申込者が発行拒否者かどうかの判定を行なうことができる個人認証用媒体発行システムを提供する。【解決手段】ＩＤカードの発行を申込む申込者が提示する、前記申込者の顔写真が添付され、かつ、前記申込者の個人情報等の情報が記載された申込書から前記顔写真および個人情報等の情報を読取り、この読取られた申込者の顔写真および個人情報等の情報に基づきＩＤカードを発行する個人認証用媒体発行システムにおいて、ＩＤカードの発行を拒否する発行拒否者の顔画像を保持しているデータベースを有し、ＩＤカードの発行時、前記申込書から読取られた顔写真と前記データベースに保持されている顔画像とを照合することにより前記申込者は発行拒否者であるか否かを判定し、この判定結果を出力する。【選択図】      図１
2009157839.tif 000002
【特許請求の範囲】
【請求項１】
個人認証用媒体の発行を申込む申込者が提示する、前記申込者の顔写真が添付され、かつ、前記申込者の個人情報等の情報が記載された申込書から前記顔写真および個人情報等の情報を読取る読取手段と、
個人認証用媒体の発行を拒否する発行拒否者の顔画像を記憶している記憶手段と、
前記読取手段により読取られた顔写真と前記記憶手段に記憶されている顔画像とを照合することにより前記申込者は発行拒否者であるか否かを判定する照合手段と、
この照合手段の判定結果を出力する出力手段と、
前記読取手段により読取られた申込者の顔写真および個人情報等の情報に基づき個人認証用媒体の発行情報を作成する発行情報作成手段と、
この発行情報作成手段により作成された発行情報に基づき個人認証用媒体を発行する発行手段と、
を具備したことを特徴とする個人認証用媒体発行システム。
【請求項２】
個人認証用媒体の発行を申込む申込者が提示する、前記申込者の顔写真が添付され、かつ、前記申込者の個人情報および当該申込者を特定する特定情報等の情報が記載された申込書から前記顔写真および個人情報、特定情報等の情報を読取る読取手段と、
過去に個人認証用媒体の発行を申込んだ際に申込書から読取った当該申込者の顔写真と特定情報とを対応させて記憶している記憶手段と、
前記読取手段により読取られた特定情報と対応する特定情報を持つ顔写真を前記記憶手段から取得し、この取得した顔写真と前記読取手段により読取られた顔写真とを照合することにより両顔写真の類似度を求める照合手段と、
この照合手段により求められた類似度が一定値以下の場合その旨を出力する出力手段と、
前記読取手段により読取られた申込者の顔写真および個人情報、特定情報等の情報に基づき個人認証用媒体の発行情報を作成する発行情報作成手段と、
この発行情報作成手段により作成された発行情報に基づき個人認証用媒体を発行する発行手段と、
を具備したことを特徴とする個人認証用媒体発行システム。
【請求項３】
個人認証用媒体の発行を申込む申込者が提示する、前記申込者の顔写真が添付され、かつ、前記申込者の個人情報等の情報が記載された申込書から前記顔写真および個人情報等の情報を読取る読取手段と、
過去に個人認証用媒体の発行を申込んだ際に申込書から読取った当該申込者の顔写真を記憶している記憶手段と、
前記読取手段により読取られた顔写真と前記記憶手段に記憶されている顔写真とを照合することにより両顔写真の類似度を求める照合手段と、
この照合手段により求められた類似度が一定値以上の場合、その一定値以上の類似度が得られた顔写真を前記記憶手段から取得して出力する出力手段と、
前記読取手段により読取られた申込者の顔写真および個人情報等の情報に基づき個人認証用媒体の発行情報を作成する発行情報作成手段と、
この発行情報作成手段により作成された発行情報に基づき個人認証用媒体を発行する発行手段と、
を具備したことを特徴とする個人認証用媒体発行システム。
【発明の詳細な説明】
【技術分野】
【０００１】
本発明は、たとえば、自動車の運転免許証や各種証明書（カードタイプや冊子タイプを含む）など、人物の生体情報としての顔写真と個人情報を印刷した顔写真付き個人認証用媒体の発行を申込む申込書を受付け、この受付けた申込書の内容に基づき顔写真付き個人認証用媒体を発行する個人認証用媒体発行システムに関する。
【背景技術】
【０００２】
たとえば、この種の個人認証用媒体として各種免許証や各種証明書として用いられるＩＣチップ付のＩＤカードが知られている。このようなＩＣチップ付のＩＤカードを発行する場合、まず、ＩＤカードの発行を希望する申込者がＩＤカードの発行を申込みするべく、申込書に顔写真を添付するとともに個人情報等のその他の必要情報を記入し、発行元（発行サイト）に申込む。
【０００３】
発行元では、担当者により申込書の内容に基づくカード発行可否の審査を行ない、合格者に対し、申込書受付装置で申込書の内容を読取り電子データ化することで、申込情報を作成して発行サーバに登録し、発行端末装置にて、登録された申込情報（顔画像や個人情報）に基づき発行情報を作成し、作成した発行情報に基づきカード表面（印刷面）への顔写真や個人情報の印刷、および、カード内のＩＣチップへの顔写真や個人情報の記録を行なうことで、ＩＤカードの発行を行ない、発行したＩＤカードを申込者に対し引き渡すようになっている（たとえば、特許文献１、特許文献２参照）。
【特許文献１】特開２００２−３１２５１９号公報
【特許文献２】特開２００５−１１５８４４号公報
【発明の開示】
【発明が解決しようとする課題】
【０００４】
ところが、上記したような個人認証用媒体発行システムにおいては、たとえば、申込者が姓名等を偽って他人になりすまして申込みした場合に、姓名等の証明資料への不正が見破れない場合、ＩＤカードの発行を拒否することが困難であるという問題がある。
【０００５】
そこで、本発明は、顔写真を照合することにより申込者が発行拒否者かどうかの判定を行なうことができる個人認証用媒体発行システムを提供することを目的とする。
【０００６】
また、本発明は、過去の本人の申込みの顔画像（顔写真）と照合し、一定値以下の類似度が認められる場合には当該顔画像を表示するとともに警告を発することにより、別人が申込者になりすました申込みかどうかの判定を行なうことができる個人認証用媒体発行システムを提供することを目的とする。
【０００７】
さらに、本発明は、過去の申込者全体の顔画像（顔写真）と照合し、一定値以上の類似度が認められる顔画像を表示するとともに警告を発することにより、申込者が過去既に申込みを行なったことがあるかどうかを判定することができる個人認証用媒体発行システムを提供することを目的とする。
【課題を解決するための手段】
【０００８】
本発明の個人認証用媒体発行システムは、個人認証用媒体の発行を申込む申込者が提示する、前記申込者の顔写真が添付され、かつ、前記申込者の個人情報等の情報が記載された申込書から前記顔写真および個人情報等の情報を読取る読取手段と、個人認証用媒体の発行を拒否する発行拒否者の顔画像を記憶している記憶手段と、前記読取手段により読取られた顔写真と前記記憶手段に記憶されている顔画像とを照合することにより前記申込者は発行拒否者であるか否かを判定する照合手段と、この照合手段の判定結果を出力する出力手段と、前記読取手段により読取られた申込者の顔写真および個人情報等の情報に基づき個人認証用媒体の発行情報を作成する発行情報作成手段と、この発行情報作成手段により作成された発行情報に基づき個人認証用媒体を発行する発行手段とを具備している。
【０００９】
また、本発明の個人認証用媒体発行システムは、個人認証用媒体の発行を申込む申込者が提示する、前記申込者の顔写真が添付され、かつ、前記申込者の個人情報および当該申込者を特定する特定情報等の情報が記載された申込書から前記顔写真および個人情報、特定情報等の情報を読取る読取手段と、過去に個人認証用媒体の発行を申込んだ際に申込書から読取った当該申込者の顔写真と特定情報とを対応させて記憶している記憶手段と、前記読取手段により読取られた特定情報と対応する特定情報を持つ顔写真を前記記憶手段から取得し、この取得した顔写真と前記読取手段により読取られた顔写真とを照合することにより両顔写真の類似度を求める照合手段と、この照合手段により求められた類似度が一定値以下の場合その旨を出力する出力手段と、前記読取手段により読取られた申込者の顔写真および個人情報、特定情報等の情報に基づき個人認証用媒体の発行情報を作成する発行情報作成手段と、この発行情報作成手段により作成された発行情報に基づき個人認証用媒体を発行する発行手段とを具備している。
【００１０】
さらに、本発明の個人認証用媒体発行システムは、個人認証用媒体の発行を申込む申込者が提示する、前記申込者の顔写真が添付され、かつ、前記申込者の個人情報等の情報が記載された申込書から前記顔写真および個人情報等の情報を読取る読取手段と、過去に個人認証用媒体の発行を申込んだ際に申込書から読取った当該申込者の顔写真を記憶している記憶手段と、前記読取手段により読取られた顔写真と前記記憶手段に記憶されている顔写真とを照合することにより両顔写真の類似度を求める照合手段と、この照合手段により求められた類似度が一定値以上の場合、その一定値以上の類似度が得られた顔写真を前記記憶手段から取得して出力する出力手段と、前記読取手段により読取られた申込者の顔写真および個人情報等の情報に基づき個人認証用媒体の発行情報を作成する発行情報作成手段と、この発行情報作成手段により作成された発行情報に基づき個人認証用媒体を発行する発行手段とを具備している。
【発明の効果】
【００１１】
本発明によれば、顔写真を照合することにより申込者が発行拒否者かどうかの判定を行なうことができる個人認証用媒体発行システムを提供できる。
【００１２】
また、本発明によれば、過去の本人の申込みの顔画像（顔写真）と照合し、一定値以下の類似度が認められる場合には当該顔画像を表示するとともに警告を発することにより、別人が申込者になりすました申込みかどうかの判定を行なうことができる個人認証用媒体発行システムを提供できる。
【００１３】
さらに、本発明によれば、過去の申込者全体の顔画像（顔写真）と照合し、一定値以上の類似度が認められる顔画像を表示するとともに警告を発することにより、申込者が過去既に申込みを行なったことがあるかどうかを判定することができる個人認証用媒体発行システムを提供できる。
【発明を実施するための最良の形態】
【００１４】
以下、本発明の実施の形態について図面を参照して説明する。  
図１は、本実施の形態に係る申込書受付装置を兼ねた個人認証用媒体発行システムの構成を概略的に示すものである。この個人認証用媒体発行システムは、たとえば、自動車の運転免許証や各種証明書として用いられる顔写真付きＩＤカードの発行を申込む申込書を受付けるとともに、この受付けた申込書の内容に基づき顔写真付きＩＤカードを発行するもので、読取手段としての申込書読取部１１、全体的な制御を司るとともに照合手段および発行情報作成手段としても機能する制御部１２、記憶手段としてのデータベース１３、発行手段としての発行部１４、出力手段としての案内部１５、および、外部装置と通信を行なう通信部１６を有して構成されている。
【００１５】
申込書読取部１１は、顔写真付きＩＤカードの発行を申込む申込者が提示する申込書Ａがセットされることで、当該申込書Ａの内容（貼付された顔写真や記載された個人情報等）を読取って電子データ化するもので、この実施の形態では、たとえば、スキャナを用いている。
【００１６】
制御部１２は、顔写真の照合、申込情報の作成・登録および発行情報の作成など各種処理を行なうとともに全体的な制御を行なうもので、この実施の形態では、たとえば、パーソナルコンピュータを用いている。
【００１７】
データベース１３は、制御部１２で作成された申込情報を保存するとともに、ＩＤカードの発行を拒否する発行拒否者の情報を格納した発行拒否者情報データベースを有している。なお、データベース１３は、制御部１２内に設けてもよいし、後述するネットワーク１８で接続されたホスト装置１７内に設けてもよい。
【００１８】
発行部１４は、制御部１２で作成された発行情報に基づき顔写真付きＩＤカードＢを発行するもので、ＩＤカードＢの表面に顔写真や個人情報などを印刷する印刷部、および、ＩＤカードＢ内のＩＣ化されたにメモリ媒体に対しデータの読取りや書込みを行なうＩＣリーダライタを有している。
【００１９】
案内部１５は、ディスプレイや音声出力装置などにより構成されていて、オペレータに対し各種案内やメッセージなどを出力する。  
通信部１６は、遠隔した部位に設置されたホスト装置（ホストコンピュータ）１７とネットワーク１８を介して通信を行なう。
【００２０】
図２は、申込書Ａの具体例を示している。申込書Ａには、申込者の氏名や生年月日などの人定事項（個人情報など）および申込みの種類などの情報３１が記載されているとともに、申込者の顔写真３２が貼付されている。ここに、情報３１内には、申込者を特定する特定情報（たとえば、ＩＤカードＢが自動車の運転免許証であれば免許証番号、各種証明書であれば証明書番号）が含まれているものとする。
【００２１】
なお、図２の例では、必要事項などの情報３1を記述し、かつ、申込者の顔写真３２を貼付したイメージの申込書Ａを用いたが、実際には顔写真３２が貼付されるかどうかは問わないし、電子的手段により申込むことにより申込書Ａが存在しない場合もある。本実施の形態では、あくまで申込書Ａにより申込まれた後に受付担当者の手によって電子データ化される場合の例である。
【００２２】
図３は、発行された顔写真付きＩＤカードＢの具体例を示している。ＩＤカードＢは、たとえば、接触式のＩＣカードで、その表面には、氏名や生年月日などの人定事項（個人情報）４１および顔写真（顔画像）４２が印刷されているとともに、外部装置（ＩＣリーダライタ等）と通信を行なうためのコンタクト部４３が設けられている。コンタクト部４３は、内部に埋設されたメモリ媒体としてのＩＣチップ４４に接続されている。
【００２３】
なお、ＩＤカードＢとして用いるＩＣカードは、接触式のＩＣカードに限らず、外部装置（ＩＣリーダライタ等）との間で無線で通信を行なう非接触式のＩＣカードであってもよい。
【００２４】
また、図３の例では、一般的なクレジットカードと同様な大きさで、カード表面に申込者本人の情報や顔写真を印刷するイメージのＩＤカードＢを用いたが、顔写真の電子データを含むのであれば、媒体の種類（カード、紙、携帯端末機、冊子や手帳の形態など）は問わない。
【００２５】
図４は、データベース１３に保存（登録）される申込情報の具体例を示している。申込情報は、たとえば、システムで使用する管理番号５１、申込者の顔写真（顔画像）５２、顔認証用辞書情報５３、および、氏名、性別、生年月日、特定情報（免許証番号等）などの申込者の個人情報５４を有して構成される。ここに、図４の例の個人情報５４において、ａは氏名、ｂは性別、ｃは免許証番号等の特定情報を示している。
【００２６】
図５は、データベース１３内の発行拒否者情報データベースに保存（登録）された発行拒否者情報の具体例を示している。発行拒否者情報は、たとえば、システムで使用する管理番号６１、発行拒否者の顔写真（顔画像）６２、顔認証用辞書情報６３、および、氏名、性別、生年月日、特定情報（免許証番号等）などの発行拒否者の個人情報６４を有して構成される。ここに、図５の例の個人情報６４において、ａは氏名、ｂは性別、ｃは免許証番号等の特定情報を示している。
【００２７】
図６は、ホスト装置１７に格納された全発行者情報データベースに保存（登録）された発行者情報の具体例を示していて、図４の申込情報から顔認証用辞書情報５３を削除した内容となっている。すなわち、発行者情報は、たとえば、システムで使用する管理番号５１、申込者（発行者）の顔写真（顔画像）５２、および、氏名、性別、生年月日、特定情報（免許証番号等）などの申込者（発行者）の個人情報５４を有して構成される。
【００２８】
なお、全発行者情報データベースは、ホスト装置１７ではなくデータベース１３内に設けられていてもよい。また、全発行者情報データベース内の発行者情報は、メモリ容量の増加が許容可能であれば、申込情報と同様に顔認証用辞書情報５３を有していてもよい。
【００２９】
次に、上記のような構成において、申込書の受付けから顔写真付きＩＤカードの発行までの動作を図７に示すフローチャートを参照して説明する。
【００３０】
まず、ＩＤカードの発行を申込む申込者は発行サイトにて申込書Ａを提出する（ステップＳ１）。発行サイトでは、受付け担当者が提出された申込書Ａなどの必要書類が完備しているかどうかの確認を行ない（ステップＳ２）、その後、申込書Ａを申込書読取部１１にセットすることにより、申込書Ａの内容（人定事項などの情報３１、顔写真３２）を読取り、制御部１２で読取情報の電子データ化（顔写真の電子データ化、文字情報のテキストデータ化など）を行なう（ステップＳ３）。
【００３１】
次に、制御部１２は、申込書Ａから読取った記載内容に基づき図４に示した申込情報を作成し、データベース１３に登録する（ステップＳ４）。  
なお、申込情報内の顔認証用辞書情報５３は、たとえば、申込書Ａから読取った顔写真３２の画像情報から顔の特徴情報を抽出し、この抽出した特徴情報から作成される。
【００３２】
次に、制御部１２は、データベース１３から先に登録された申込情報を取得し、この取得した申込情報に基づきＩＤカードＢの発行情報を作成し、この作成した発行情報を発行部１４へ送る（ステップＳ５）。
【００３３】
発行部１４は、制御部１２から送られた発行情報に基づき、カード表面に顔写真４２や個人情報４１などを印刷するとともに、ＩＣチップ４４に顔写真や個人情報などを書込むことで、ＩＤカードＢを発行し（ステップＳ６）、当該申込者に手渡す。
【００３４】
また、制御部１２は、ステップＳ５の処理と並行して、まずデータベース１３内の発行拒否者情報データベースとの照合処理を行なう。すなわち、申込書Ａから取得した申込者の顔画像（顔写真）から顔の特徴情報を抽出し、この抽出した特徴情報と発行拒否者情報データベースに登録された発行拒否者情報内の顔認証用辞書情報６３とを照合することにより、両情報の類似度を算出する（ステップＳ７）。
【００３５】
次に、算出した類似度が一定値以上か否かをチェックし（ステップＳ８）、算出した類似度が一定値以上の場合、たとえば、図８（ａ）に示すように、申込書Ａから取得した申込者の顔画像（顔写真）とともに、当該類似度が得られた顔画像（顔写真）６２および個人情報６４を案内部１５で表示するとともに、当該申込者は発行拒否者である旨のメッセージを文字（および、あるいは音声等）で出力し、オペレータに警告する（ステップＳ９）。これにより、申込者が発行拒否者であるかどうかの判定を自動的に行なうことができる。
【００３６】
ステップＳ８におけるチェックの結果、算出した類似度が一定値以上でない場合、制御部１２は、過去の申込時の顔画像との照合処理を行なう。すなわち、まず、申込書Ａから取得した情報３１内の申込者を特定する特定情報（免許証番号等）を検索キーとして、ホスト装置１７に格納された全発行者情報データベース内の発行者情報を検索し、一致する特定情報を有する個人情報５４が存在するか否かにより、過去の申込があるか否かをチェックする（ステップＳ１０）。
【００３７】
このチェックの結果、一致する特定情報を有する個人情報５４が存在する場合（過去の申込がある場合）、当該個人情報５４と対応する顔写真（顔画像）５２をホスト装置１７の全発行者情報データベースから取得し、この取得した顔画像（顔写真）５２から顔の特徴情報を抽出するとともに、申込書Ａから取得した申込者の顔画像（顔写真）から顔の特徴情報を抽出し、この抽出した両特徴情報を照合することにより、両情報の類似度を算出する（ステップＳ１１）。
【００３８】
次に、算出した類似度が一定値以下か否かをチェックし（ステップＳ１２）、算出した類似度が一定値以下の場合、たとえば、図８（ｂ）に示すように、申込書Ａから取得した申込者の顔画像（顔写真）とともに、当該類似度が得られた顔画像（顔写真）５２および個人情報５４を案内部１５で表示するとともに、当該申込者は別人が成りすました申込者である可能性がある旨のメッセージを文字（および、あるいは音声等）で出力し、オペレータに警告する（ステップＳ１３）。これにより、オペレータは、別人が申込者になりすました申込みかどうかの判定を行なうことができる。
【００３９】
ステップＳ１０におけるチェックの結果、一致する特定情報を有する個人情報５４が存在しない場合（過去の申込がない場合）、あるいは、ステップＳ１２におけるチェックの結果、算出した類似度が一定値以下でない場合、制御部１２は、全発行者の顔画像との照合処理を行なう。
【００４０】
すなわち、まず、ホスト装置１７の全発行者情報データベースから全ての発行者の顔画像（顔写真）５２を取得し、この取得した顔画像（顔写真）５２から顔の特徴情報を抽出するとともに、申込書Ａから取得した申込者の顔画像（顔写真）から顔の特徴情報を抽出し、この抽出した両特徴情報を照合することにより、両情報の類似度を算出する（ステップＳ１４）。これを全ての発行者の顔画像（顔写真）５２に対して行なう。
【００４１】
なお、ステップＳ１４の処理は、ネットワーク１８で接続されたホスト装置１７側で行なってもよい。すなわち、制御部１２は、申込書Ａから取得した申込者の顔画像（顔写真）から顔の特徴情報を抽出し、この抽出した両特徴情報を顔認証用辞書情報としてホスト装置１７に送信する。これを受けたホスト装置１７は、全発行者情報データベースから全ての発行者の顔画像（顔写真）５２を順次読出し、この読出した顔画像（顔写真）５２から顔の特徴情報を抽出し、この抽出した特徴情報と制御部１２から受信した特徴情報とを照合することにより、両情報の類似度を算出し、その算出した類似度を制御部１２へ送信するものである。
【００４２】
次に、制御部１２は、算出した類似度が一定値以上か否かをチェックし（ステップＳ１５）、算出した類似度が一定値以上の場合、たとえば、図８（ｃ）に示すように、申込書Ａから取得した申込者の顔画像（顔写真）とともに、当該類似度が得られた顔画像（顔写真）５２および個人情報５４を案内部１５で表示するとともに、当該申込者は過去既に申込みを行なったことがある旨のメッセージを文字（および、あるいは音声等）で出力し、オペレータに提供する（ステップＳ１６）。これにより、オペレータは、当該申込者は過去既に申込みを行なったことがあるかどうかを判定することができる。
【００４３】
ステップＳ１５におけるチェックの結果、算出した類似度が一定値以上でない場合、制御部１２は、当該照合処理を終了する。
【００４４】
以上説明したように、上記実施の形態によれば、顔写真を照合することにより発行拒否者かどうかの判定を行なうことができる。  
また、過去の本人の申込みの顔画像と照合し、一定値以下の類似度が認められる場合に警告を発することにより、別人が申込者になりすました申込みかどうかの判定を行なうことができる。  
さらに、過去の申込者全体の顔画像と照合し、一定値以上の類似度が認められる画像を表示することにより、申込者が過去既に申込みを行なったことがあるかどうかを判定することができる。
【図面の簡単な説明】
【００４５】
【図１】本発明の実施の形態に係る申込書受付装置を兼ねた個人認証用媒体発行システムの構成を概略的に示すブロック図。
【図２】申込書の具体例を示す平面図。
【図３】ＩＤカードの具体例を示す平面図。
【図４】データベースに保存される申込情報の具体例を示す模式図。
【図５】発行拒否者情報データベースに保存された発行拒否者情報の具体例を示す模式図。
【図６】全発行者情報データベースに保存された発行者情報の具体例を示す模式図。
【図７】動作を説明するフローチャート。
【図８】案内部における顔画像およびメッセージ等の出力例を示す模式図。
【符号の説明】
【００４６】
１１…申込書読取部（読取手段）、１２…制御部（照合手段、発行情報作成手段）、１３…データベース（記憶手段）、１４…発行部（発行手段）、１５…案内部（出力手段）、１７…ホスト装置、Ａ…申込書、３１…人定事項（個人情報）などの情報、３２…顔写真（顔画像）、Ｂ…ＩＤカード（個人認証用媒体）、４１…人定事項（個人情報）、４２…顔写真（顔画像）、４４…ＩＣチップ（メモリ媒体）。
【図１】
2009157839.tif 000003
【図２】
2009157839.tif 000004
【図３】
2009157839.tif 000005
【図４】
2009157839.tif 000006
【図５】
2009157839.tif 000007
【図６】
2009157839.tif 000008
【図７】
2009157839.tif 000009
【図８】
2009157839.tif 000010